(57)【要約】【課題】コンテナ本体内に収容される袋体の取り付け、取り外しを容易にすると共に、コンテナ本体に安定保持して、安定した状態で袋体内に水を供給可能にする。【解決手段】コンテナ本体内に収容される袋体に設けられる配水ノズル３０を、コンテナ本体に保持するに際して、側壁１２ａの下部に配水ノズル取付用開口４０を設け、該開口の対向する両側辺に当接する当接片４１ａと、当接片の両端から相反する方向に直交状に折曲される第１，第２の折曲片４１ｂ，４１ｃを有し、第１の折曲片が側壁に固定される外枠部材４１を設け、外枠部材の当接片に固定される固定片４２ａと、固定片の一端から直交状に折曲されて第２の折曲片との間に案内溝４３を形成する第３の折曲片４２ｂとを有する内枠部材４２を設け、案内溝内に摺接可能に嵌挿される配水ノズル押え板４４に、配水ノズルのノズル先端部のみが嵌挿可能な下方が開口する配水ノズル保持用切欠き４５を設ける。【選択図】  図３
2014141277.tif 000002
【特許請求の範囲】
【請求項１】
上方が開口する折り畳み式のコンテナ本体と、該コンテナ本体内に収容される可撓性を有する給水用の袋体と、を具備し、
上記袋体は、該袋体内に水を供給するための給水ノズルが上部に設けられ、袋体内の水を取り出すための配水ノズルが下部側面に設けられ、
上記給水ノズルは、上記袋体内に水を供給する際、上記コンテナ本体の開口部に保持され、上記配水ノズルは、上記コンテナ本体の側壁からコンテナ本体の外部に突出した状態に保持される給水コンテナであって、
上記配水ノズルはノズル先端部付近に鍔部を具備し、
上記コンテナ本体の側壁の下部に配水ノズル取付用開口を設け、該配水ノズル取付用開口の対向する両側辺に上記側壁の開口端部に当接する当接片と、該当接片の両端から相反する方向に直交状に折曲される第１，第２の折曲片を有し、第１の折曲片が上記側壁に固定される外枠部材を設けると共に、上記外枠部材の当接片に固定される固定片と、該固定片の一端から直交状に折曲されて上記外枠部材の第２の折曲片との間に平行な案内溝を形成する第３の折曲片とを有する内枠部材を設け、
上記外枠部材の第２の折曲片と上記内枠部材の第３の折曲片とで形成される上記案内溝内に上方から摺接可能な配水ノズル押え板に、上記配水ノズルのノズル先端部のみが嵌挿可能な下方が開口する配水ノズル保持用切欠きを設けてなる、ことを特徴とする給水コンテナ。
【請求項２】
請求項１に記載の給水コンテナにおいて、
上記コンテナ本体の側壁にずれ止め用突起を突設し、上記配水ノズル押え板に上記ずれ止め用突起が嵌合可能なずれ止め用孔を設けた、ことを特徴とする給水コンテナ。
【請求項３】
上方が開口する折り畳み式のコンテナ本体と、該コンテナ本体内に収容される可撓性を有する給水用の袋体と、を具備し、
上記袋体は、該袋体内に水を供給するための給水ノズルが上部に設けられ、袋体内の水を取り出すための配水ノズルが下部側面に設けられ、
上記給水ノズルは、上記袋体内に水を供給する際、上記コンテナ本体の開口部に保持され、上記配水ノズルは、上記コンテナ本体の側壁からコンテナ本体の外部に突出した状態に保持される給水コンテナであって、
上記給水ノズルはノズル先端部付近に鍔部を具備し、
上記給水ノズルを上記コンテナ本体の開口部に保持する給水ノズル保持具は、上記コンテナ本体の開口の対向する側壁上に架設される一対の梁部材と、該梁部材上に固定され上記給水ノズルのノズル先端部のみが側方から嵌挿可能な給水ノズル保持用切欠きを有する給水ノズル受け板と、一端が上記両梁部材上にヒンジを介して起倒可能に設けられ、他端が上記給水ノズル受け板の給水ノズル保持用切欠きの開口端を塞ぐ給水ノズル押え板と、を具備することを特徴とする給水コンテナ。
【請求項４】
請求項３に記載の給水コンテナにおいて、
上記給水ノズル保持具は、上記梁部材の両端部に上記コンテナ本体の側壁の上端側面に係脱可能な係止部材を具備する、ことを特徴とする給水コンテナ。
【発明の詳細な説明】
【技術分野】
【０００１】
この発明は、給水コンテナに関するもので、更に詳細には、上方が開口する折り畳み式のコンテナ本体内に可撓性を有する給水用の袋体を収容する給水コンテナに関するものである。
【背景技術】
【０００２】
近年、地球環境の変化が影響して、地震，暴風等の異常な自然現象による災害が多く発生している。このような異常な自然現象や人為的原因によって生じる災害や断水時により、被災地では飲料水や生活用水が不足し、生活に被害を与えている。このような異常事態に備えて、飲料水等の液体を貯留した液体用コンテナが用いられている。
【０００３】
従来のこの種の液体用コンテナには、上方が開口する折り畳み式のコンテナ本体と、該コンテナ本体内に収容される可撓性を有する給水用の袋体とを具備し、袋体は、該袋体内に水を供給(補充)するための液体補充用ノズルが上部に設けられ、袋体内の水を取り出すための液体排出用ノズルが側面下部に設けられ、液体排出用ノズルがコンテナ本体の側板に設けた孔部から先端が突出した状態で保持されている（例えば、特許文献１参照）。
【０００４】
また、袋体内の液体を取り出すノズルをコンテナの側板に取り付ける構造として、折り畳み式のコンテナ本体の側板に設けられたノズル引き出し用の窓部の両側部に案内溝を設け、該案内溝にノズル保持板を固着し、ノズル保持板の上に上下滑動自在に、下開きの半円形切欠きを持ったノズル押え板を嵌着し、ノズル保持板とノズル押え板で形成される円孔で、ノズルに設けた鍔とフランジ間の管状部を挟持固定するものが知られている（例えば、特許文献２参照）。
【０００５】
上記特許文献１，２に記載の液体用コンテナは、袋体内の水の排出が完了した後、袋体をコンテナ本体から取り外した状態で、コンテナ本体が折り畳まれるようになっている。
【先行技術文献】
【特許文献】
【０００６】
【特許文献１】特開平１０−３５７７８号公報（特許請求の範囲、図１）
【特許文献２】実公平８−２１０２(実用新案登録請求の範囲、図３，図５)
【発明の概要】
【発明が解決しようとする課題】
【０００７】
しかしながら、特許文献１に記載のものにおいては、液体排出用ノズルをコンテナ本体の側板に設けられた孔部に挿入して先端が突出した状態で接着剤等により固定して保持する構造であるため、液体排出用ノズルの取り付け、取り外しが面倒である。
【０００８】
これに対して、特許文献２に記載のものは、コンテナの側板に設けられたノズル引き出し用の窓部の両側部の案内溝に固着されるノズル保持板の上に、下開きの半円形切欠きを持ったノズル押え板を嵌着し、ノズル保持板とノズル押え板で形成される円孔で、ノズルに設けた鍔とフランジ間の管状部を挟持固定するため、特許文献１に記載のものに比べて液体排出用ノズルの取り付け、取り外しを容易にすることができる。しかし、特許文献２に記載のものにおいては、窓部を構成する枠部材に設けられた案内溝内にノズル押え板を嵌挿する構造であるため、案内溝とノズル押え板との間に隙間が生じ、これが起因してノズル押え板ががたついて液体排出用ノズルの保持が不十分となり、袋体内に水が供給されて下部に内圧が加わった場合、案内溝から外れる虞がある。このように液体排出用ノズルの保持が不十分であると、安定した状態で袋体内に水を供給することができない懸念がある。
【０００９】
また、特許文献１，２に記載のものにおいては、いずれも袋体内に水を供給する際に、液体補充用ノズルを保持する点については言及されておらず、袋体内に水を供給する際の袋体の安定保持に懸念がある。
【００１０】
この発明は上記事情に鑑みてなされたもので、コンテナ本体内に収容される袋体のコンテナ本体内への取り付け、取り外しを容易にすると共に、袋体に設けられる給水ノズル及び配水ノズルをコンテナ本体に安定保持して、安定した状態で袋体内に水を供給可能にする給水コンテナを提供する。
【課題を解決するための手段】
【００１１】
上記課題を解決するために、請求項１に記載の発明は、上方が開口する折り畳み式のコンテナ本体と、該コンテナ本体内に収容される可撓性を有する給水用の袋体と、を具備し、  上記袋体は、該袋体内に水を供給するための給水ノズルが上部に設けられ、袋体内の水を取り出すための配水ノズルが下部側面に設けられ、  上記給水ノズルは、上記袋体内に水を供給する際、上記コンテナ本体の開口部に保持され、上記配水ノズルは、上記コンテナ本体の側壁からコンテナ本体の外部に突出した状態に保持される給水コンテナであって、  上記配水ノズルはノズル先端部付近に鍔部を具備し、  上記コンテナ本体の側壁の下部に配水ノズル取付用開口を設け、該配水ノズル取付用開口の対向する両側辺に上記側壁の開口端部に当接する当接片と、該当接片の両端から相反する方向に直交状に折曲される第１，第２の折曲片を有し、第１の折曲片が上記側壁に固定される外枠部材を設けると共に、上記外枠部材の当接片に固定される固定片と、該固定片の一端から直交状に折曲されて上記外枠部材の第２の折曲片との間に平行な案内溝を形成する第３の折曲片とを有する内枠部材を設け、  上記外枠部材の第２の折曲片と上記内枠部材の第３の折曲片とで形成される上記案内溝内に上方から摺接可能な配水ノズル押え板に、上記配水ノズルのノズル先端部のみが嵌挿可能な下方が開口する配水ノズル保持用切欠きを設けてなる、ことを特徴とする。
【００１２】
このように構成することにより、コンテナ本体の側壁の下部に設けられた配水ノズル取付用開口の対向する両側辺に設けられる外枠部材の第２の折曲片と、外枠部材に固定される内枠部材の第３の折曲片とで平行な案内溝を形成するので、該案内溝内に上方から摺接可能な配水ノズル押え板に設けられた下方が開口する配水ノズル保持用切欠きに配水ノズルのノズル先端部のみを嵌挿して、配水ノズルの鍔部より先端側のノズル先端部を側壁から突出した状態で保持することができる。
【００１３】
請求項１に記載の給水コンテナにおいて、上記コンテナ本体の側壁にずれ止め用突起を突設し、上記配水ノズル押え板に上記ずれ止め用突起が嵌合可能なずれ止め用孔を設けるのが好ましい（請求項２）。
【００１４】
このように構成することにより、コンテナ本体の側壁に突設されたずれ止め用突起と、配水ノズル押え板に設けられたずれ止め用孔とを嵌合することで、配水ノズル押え板による配水ノズルの保持状態を維持することができると共に、振動等によって配水ノズル押え板がずれて配水ノズルの保持が不十分になるのを防止することができる。
【００１５】
請求項３に記載の発明は、上方が開口する折り畳み式のコンテナ本体と、該コンテナ本体内に収容される可撓性を有する給水用の袋体と、を具備し、  上記袋体は、該袋体内に水を供給するための給水ノズルが上部に設けられ、袋体内の水を取り出すための配水ノズルが下部側面に設けられ、  上記給水ノズルは、上記袋体内に水を供給する際、上記コンテナ本体の開口部に保持され、上記配水ノズルは、上記コンテナ本体の側壁からコンテナ本体の外部に突出した状態に保持される給水コンテナであって、  上記給水ノズルはノズル先端部付近に鍔部を具備し、  上記給水ノズルを上記コンテナ本体の開口部に保持する給水ノズル保持具は、上記コンテナ本体の開口の対向する側壁上に架設される一対の梁部材と、該梁部材上に固定され上記給水ノズルのノズル先端部のみが側方から嵌挿可能な給水ノズル保持用切欠きを有する給水ノズル受け板と、一端が上記両梁部材上にヒンジを介して起倒可能に設けられ、他端が上記給水ノズル受け板の給水ノズル保持用切欠きの開口端を塞ぐ給水ノズル押え板と、を具備することを特徴とする。
【００１６】
このように構成することにより、コンテナ本体の開口の対向する側壁上に架設される給水ノズル保持具に設けられた給水ノズル受け板の給水ノズル保持用切欠きに給水ノズルのノズル先端部を嵌挿した後、給水ノズル押え板を倒して給水ノズル保持用切欠きの開口端を塞ぐことで、給水ノズルの鍔部より先端側のノズル先端部を給水ノズル保持具から突出した状態で保持することができる。また、袋体内への水の供給が完了した後、給水ノズル押え板を起立して給水ノズル受け板の給水ノズル保持用切欠きの開口端を開放した状態で、給水ノズル保持具による給水ノズルの保持を解除することができる。
【００１７】
請求項３に記載の給水コンテナにおいて、上記給水ノズル保持具は、上記梁部材の両端部に上記コンテナ本体の側壁の上端側面に係脱可能な係止部材を具備するのが好ましい（請求項４）。
【００１８】
このように構成することにより、コンテナ本体内に収容された袋体内に水を供給する際に、給水ノズル保持具をコンテナ本体の開口の対向する側壁の上端側面に係止部材を係合させて給水ノズル保持具を架設して給水ノズルを保持することができる。また、袋体内への水の供給が完了した後は、給水ノズル保持具をコンテナ本体から取り外して、別の給水コンテナの給水ノズルの保持に使用することができる。
【発明の効果】
【００１９】
この発明によれば、上記のように構成されているので、以下のような顕著な効果が得られる。
【００２０】
（１）請求項１に記載の発明によれば、コンテナ本体の側壁の下部に設けられた配水ノズル保持用開口の対向する両側辺に設けられる外枠部材の第２の折曲片と、外枠部材に固定される内枠部材の第３の折曲片とで形成される平行な案内溝内に上方から摺接可能な配水ノズル押え板に設けられた下方が開口する配水ノズル保持用切欠きに配水ノズルのノズル先端部のみを嵌挿して、配水ノズルの鍔部より先端側のノズル先端部を側壁から突出した状態で保持することができるので、コンテナ本体内に収容される袋体のコンテナ本体内への取り付け、取り外しを容易にすると共に、配水ノズル押え板のがたつきを抑制して袋体に設けられる配水ノズルをコンテナ本体に安定保持し、安定した状態で袋体内に水を供給することができる。
【００２１】
（２）請求項２に記載の発明によれば、配水ノズル押え板による配水ノズルの保持状態を維持することができると共に、振動等によって配水ノズル押え板がずれて配水ノズルの保持が不十分になるのを防止することができるので、上記（１）に加えて更に配水ノズルの保持を安定させることができる。
【００２２】
（３）請求項３に記載の発明によれば、コンテナ本体の開口の対向する側壁上に架設される給水ノズル保持具に設けられた給水ノズル受け板の給水ノズル保持用切欠きに給水ノズルのノズル先端部を嵌挿した後、給水ノズル押え板によって給水ノズル保持用切欠きの開口端を塞ぐことで、給水ノズルの鍔部より先端側のノズル先端部を給水ノズル保持具から突出した状態で保持することができるので、袋体に設けられる給水ノズルをコンテナ本体に安定保持し、安定した状態で袋体内に水を供給することができる。
【００２３】
（４）請求項４に記載の発明によれば、給水ノズル保持具をコンテナ本体の開口の対向する側壁の上端側面に係止部材を係合させて給水ノズル保持具を架設して給水ノズルを保持することができるので、給水ノズルの位置を安定させた状態で、コンテナ本体内に収容された袋体内に水を供給することができる。また、袋体内への水の供給が完了した後は、給水ノズル保持具をコンテナ本体から取り外して、別の給水コンテナの給水ノズルの保持に使用することができるので、給水ノズル保持具を複数の給水コンテナに共通して使用することができる。
【図面の簡単な説明】
【００２４】
【図１】この発明に係る給水コンテナの一例を示す斜視図である。
【図２】この発明におけるコンテナ本体の正面図である。
【図３】この発明における配水ノズルの保持部を示す正面図（ａ），（ａ）のＩ−Ｉ線に沿う断面図（ｂ）及び（ｂ）のII部拡大図（ｃ）である。
【図４】上記配水ノズルの保持部を示す背面図である。
【図５】図４のIII−III線に沿う断面図（ａ）及び（ａ）のIV部の拡大断面図（ｂ）である。
【図５Ａ】上記配水ノズルの保持状態を示す断面図である。
【図６】この発明における給水ノズルの保持部を示す平面図である。
【図６Ａ】図６のＶ−Ｖ線に沿う拡大断面図である。
【図７】この発明における給水ノズル保持具のノズル押え板を起立した状態を示す斜視図である。
【図８】この発明における袋体に水を供給する状態を示す斜視図である。
【図９】この発明におけるコンテナ本体の隣接する側壁のジョイント部を示す正面図（ａ）及び（ａ）のVI−VI線に沿う断面図（ｂ）である。
【図１０】上記コンテナ本体の側面図である。
【図１１】図１０のVII−VII線に沿う拡大断面図である。
【図１２】上記コンテナ本体の折り畳み状態を示す正面図（ａ）及び側面図（ｂ）である。
【発明を実施するための形態】
【００２５】
以下に、この発明に係る給水コンテナの実施形態を添付図面に基づいて詳細に説明する。
【００２６】
この発明に係る給水コンテナは、図１及び図１０に示すように、パレット１を設けた矩形状の底部１１の４辺にそれぞれ折り畳み可能に立設される正面、背面及び左右側面の側壁１２ａ，１２ｂ，１２ｃ，１２ｄを有する上方が開口した折り畳み式のコンテナ本体１０と、コンテナ本体１０内に収容される可撓性を有する袋体２と、コンテナ本体１０の開口部１０ａを塞ぐ蓋体３と、を具備する。この場合、側壁１２ａ，１２ｂ，１２ｃ，１２ｄは、図５及び図５Ａを代表して示すように、仕切壁１３によって区画された複数の中空部１４を有するアルミニウム製押出形材にて形成される複数の側板１５の上端部の嵌合凸部１６と、下端部の嵌合凹部１７とを嵌合した状態で積層して構成されている。
【００２７】
袋体２は、袋体２内に水を供給するための給水ノズル２０が上部に設けられ、袋体２内の水を取り出すための配水ノズル３０が下部側面に設けられている。
【００２８】
給水ノズル２０は、ノズル先端部２１付近に鍔部２２を具備し、袋体２内に水を供給する際、コンテナ本体１０の開口部１０ａに架設される後述する給水ノズル保持具５０によって保持される。
【００２９】
一方、配水ノズル３０は、ノズル先端部３１付近に鍔部３２を具備し、図１ないし図５Ａに示すように、コンテナ本体１０の側壁例えば正面側壁１２ａからコンテナ本体１０の外部に突出した状態に保持される。
【００３０】
上記コンテナ本体１０の側壁１２ａの下部中央部には、配水ノズル取付用開口４０が設けられており、配水ノズル取付用開口４０の対向する両側辺に設けられる一対の外枠部材４１と内枠部材４２によって形成される案内溝４３内に摺接可能に嵌挿される配水ノズル押え板４４によって配水ノズル３０のノズル先端部３１がコンテナ本体１０の外部に突出した状態に保持される。
【００３１】
この場合、外枠部材４１は、側壁１２ａの開口端部(側板１５の小口)に当接する当接片４１ａと、当接片４１ａの両端から相反する方向に直交状に折曲される第１，第２の折曲片４１ｂ，４１ｃを有する断面略クランク状に形成されるアルミニウム製押出形材にて形成されており、第１の折曲片４１ｂが側壁１２ａの外側面にリベット４６によって固定されている。
【００３２】
一方、内枠部材４２は、外枠部材４１の当接片４１ａにリベット４６によって固定される固定片４２ａと、固定片４２ａの一端から直交状に折曲されて、外枠部材４１の第２の折曲片４１ｃとの間に平行な案内溝４３を形成する第３の折曲片４２ｂとを有する断面略Ｌ字状のアルミニウム製押出形材にて形成されている。この場合、第３の折曲片４２ｂの外側面は側壁１２ａの内壁面と同一面上に位置しており、第３の折曲片４２ｂの外側面と上記外枠部材４１の第２の折曲片４１ｃの内側面との間に形成される案内溝４３の幅が配水ノズル押え板４４の厚みより僅かに大きく形成されている。
【００３３】
上記配水ノズル押え板４４は、図３及び図４に示すように、外枠部材４１の第２の折曲片４１ｃと内枠部材４２の第３の折曲片４２ｂとで形成される案内溝４３内に上方から摺接可能に嵌挿されるアルミニウム製の矩形板部材にて形成されており、その下端には配水ノズル３０のノズル先端部２１のみが嵌挿可能な配水ノズル保持用切欠き４５が下方に開口して設けられている。この場合、配水ノズル保持用切欠き４５は、ノズル先端部２１の外径より若干大きい幅寸法の直状部４５ａの内方側に三角状部４５ｂを有する形状に形成されている。なお、直状部４５ａの開口端には面取り部４５ｃが設けられている。
【００３４】
また、配水ノズル押え板４４の中心部には、配水ノズル押え板４４が配水ノズル３０を保持する状態の位置決めとずれを防止するためのずれ止め用孔４７が設けられている。このずれ止め用孔４７は、コンテナ本体１０の側壁１２ａにリベットによって突設されたずれ止め用突起４８と嵌合可能になっており、ずれ止め用孔４７とずれ止め用突起４８が嵌合した状態で、配水ノズル押え板４４による配水ノズル３０の保持状態が維持されると共に、振動等によるずれが防止される(図５参照)。なお、配水ノズル押え板４４における配水ノズル保持用切欠き４５と反対側の上端部側には指掛け用の孔部４９が設けられている。  上記のように構成される配水ノズル取付用開口４０に配水ノズル３０取り付けるには、まず、コンテナ本体１０の内方側から配水ノズル取付用開口４０に配水ノズル３０のノズル先端部３１を挿入してコンテナ本体１０の外側に突出させる。この状態で、外枠部材４１の第２の折曲片４１ｃと内枠部材４２の第３の折曲片４２ｂとで形成される案内溝４３内に上方から配水ノズル押え板４４を嵌挿して、ノズル先端部３１の外周を配水ノズル保持用切欠き４５内に嵌入した状態で配水ノズル３０を保持する。このとき、配水ノズル押え板４４に設けられたずれ止め用孔４７と、側壁１２ａに突設されたずれ止め用突起４８が嵌合して、配水ノズル押え板４４による配水ノズル３０の保持状態が維持されると共に、振動等によるずれが防止される。
【００３５】
保持された配水ノズル３０の突出部には、ノズル先端部３１に設けられたねじ部（図示せず）にねじ結合する配水コック６０が取り付けられる（図５Ａ参照）。
【００３６】
上記のように構成することにより、外枠部材４１の第２の折曲片４１ｃと、外枠部材４１に固定される内枠部材４２の第３の折曲片４２ｂとで形成される平行な案内溝４３内に上方から摺接可能な配水ノズル押え板４４に設けられた下方が開口する配水ノズル保持用切欠き４５に配水ノズル３０のノズル先端部３１のみを嵌挿して、配水ノズル３０の鍔部３２より先端側のノズル先端部３１を側壁１２ａから突出した状態で保持することができるので、コンテナ本体１０内に収容される袋体２のコンテナ本体１０内への取り付け、取り外しを容易にすると共に、配水ノズル押え板４４のがたつきを抑制して袋体２に設けられる配水ノズル３０をコンテナ本体１０に安定保持し、安定した状態で袋体２内に水を供給することができる。したがって、袋体２内に水を供給して袋体２の下部に内圧が加わった場合においても配水ノズル押え板４４は保持状態を維持することができる。
【００３７】
また、ずれ止め用孔４７とずれ止め用突起４８が嵌合することで、配水ノズル押え板４４による配水ノズル３０の保持状態を維持することができると共に、振動等によって配水ノズル押え板４４がずれて配水ノズル３０の保持が不十分になるのを防止することができるので、更に配水ノズル３０の保持を安定させることができる。
【００３８】
次に、給水ノズル２０をコンテナ本体１０の開口部に保持する給水ノズル保持具５０について、図１、図６ないし図９を参照して説明する。
【００３９】
給水ノズル保持具５０は、コンテナ本体１０の開口の対向する側壁例えば正面及び背面側壁１２ａ，１２ｂ上に架設される一対の梁部材５１と、該梁部材５１上に固定され給水ノズル２０のノズル先端部２１のみが側方から嵌挿可能な給水ノズル保持用切欠き５２を有する給水ノズル受け板５３と、一端が両梁部材５１上にヒンジ５４を介して起倒可能に設けられ、他端が給水ノズル受け板５３の給水ノズル保持用切欠き５２の開口端を塞ぐ給水ノズル押え板５５と、を具備する。また、梁部材５１の両端部には、コンテナ本体１０の側壁１２ａ，１２ｂの上端側面に係脱可能な係止部材５６が設けられている。
【００４０】
この場合、梁部材５１はチャンネル状のアルミニウム製押出形材にて形成され、係止部材５６は水平片５６ａと垂直片５６ｂからなるアングル状のアルミニウム製押出形材にて形成されており、アングル状押出形材を所定の寸法に切断して係止部材５６が形成される。また、給水ノズル受け板５３と給水ノズル押え板５５はアルミニウム製の板部材にて形成されており、給水ノズル受け板５３は、上記配水ノズル押え板４４と同様の板部材にて形成されている。すなわち、給水ノズル保持用切欠き５２は、ノズル先端部３１の外径より若干大きい幅寸法の直状部５２ａの内方側に三角状部５２ｂを有する形状に形成されている。なお、直状部５２ａの開口端には面取り部（図示せず）が設けられている。
【００４１】
上記のように形成される給水ノズル受け板５３は、間隔をおいて互いに平行に配置された一対の梁部材５１上に載置され、リベット５７によって固定される。給水ノズル押え板５５は、一対の梁部材５１上に載置され、各梁部材５１の上面と給水ノズル押え板５５の端部上面に跨がって取り付けられるヒンジ５４によって起倒可能に装着される。この場合、ヒンジ５４の一方の片を給水ノズル押え板５５の上面に固定し、ヒンジ５４の他方の片を給水ノズル押え板５５と同じ厚さのスペーサ（図示せず）を介して梁部材５１の上面に固定するのがよい。また、係止部材５６は、水平片５６ａがリベット５７によって固定されて、垂直片５６ｂが梁部材５１の端部より下方に垂下した状態に取り付けられている。
【００４２】
上記のように構成される給水ノズル保持具５０を用いて給水ノズル２０を保持するには、両梁部材５１をコンテナ本体１０の開口の対向する側壁例えば正面及び背面側壁１２ａ，１２ｂ上に架設すると共に、係止部材５６の垂直片５６ｂを側壁１２ａ，１２ｂの上端側面に係止する。次に、図７に示すように、給水ノズル押え板５５を起立させて、給水ノズル受け板５３の給水ノズル保持用切欠き５２の開口部を開放し、側方から給水ノズル２０のノズル先端部２１を給水ノズル保持用切欠き５２内に嵌挿する。その後、給水ノズル押え板５５を倒して給水ノズル保持用切欠き５２の開口端を塞ぐことで、給水ノズル２０が安定した状態で保持される。そして、給水ノズル保持具５０によって保持された給水ノズル２０のノズル先端部２１に給水管７０を接続して袋体２内に水を供給する（図８参照）。なおこの場合、給水ノズル２０のノズル先端部２１に給水コック（図示せず）を取り付けて、給水管７０を接続するようにしてもよい。
【００４３】
袋体２内への水の供給が完了した後、給水ノズル押え板５５を起立して給水ノズル受け板５３の給水ノズル保持用切欠き５２の開口端を開放した状態で、給水ノズル保持具５０による給水ノズル２０の保持を解除して、給水ノズル保持具５０を取り除く。その後、コンテナ本体１０の開口部に蓋体３が被着される。この場合、蓋体３は矩形状板部３ａの角部にアングル状コーナー部材３ｂを具備し、アングル状コーナー部材３ｂがコンテナ本体１０の角部に被着されるようになっている。
【００４４】
上記のように構成することにより、コンテナ本体１０の開口の対向する側壁１２ａ，１２ｂ上に架設される給水ノズル保持具５０に設けられた給水ノズル受け板５３の給水ノズル保持用切欠き５２に給水ノズル２０のノズル先端部２１を嵌挿した後、給水ノズル押え板５５によって給水ノズル保持用切欠き５２の開口端を塞ぐことで、給水ノズル２０の鍔部２２より先端側のノズル先端部２１を給水ノズル保持具５０から突出した状態で保持することができるので、袋体２に設けられる給水ノズル２０をコンテナ本体１０に安定保持して、安定した状態で袋体２内に水を供給することができる。
【００４５】
また、給水ノズル保持具５０をコンテナ本体１０の開口の対向する側壁１２ａ，１２ｂの上端側面に係止部材５６を係合させて給水ノズル保持具５０を架設して給水ノズル２０を保持することで、給水ノズル２０を安定させた状態で、コンテナ本体１０内に収容された袋体２内に水を供給することができる。また、袋体２内への水の供給が完了した後は、給水ノズル保持具５０をコンテナ本体１０から取り外して、別の給水コンテナの給水ノズル２０の保持に使用することができる。したがって、給水ノズル保持具５０を複数の給水コンテナに共通して使用することができる利便性がある。
【００４６】
次に、この発明におけるコンテナ本体１０の折り畳み構造について、図１，図９ないし図１２を参照して簡単に説明する。
【００４７】
コンテナ本体１０は、上述したように、パレット１を設けた矩形状の底部１１の４辺にそれぞれ折り畳み可能に立設される正面、背面及び左右側面の側壁１２ａ，１２ｂ，１２ｃ，１２ｄを有しており、側壁１２ａ，１２ｂ，１２ｃ，１２ｄは、図５及び図５Ａを代表して示すように、仕切壁１３によって区画された複数の中空部１４を有するアルミニウム製押出形材にて形成される複数の側板１５の上端部の嵌合凸部１６と嵌合凹部１７とを嵌合した状態でそれぞれ一対の縦枠８１，８１；８２，８２間に積層して構成されている。すなわち、正面側壁１２ａと背面側壁１２ｂを構成する側板１５は一対の縦枠８１，８１間に積層されており、左右側壁１２ｃ，１２ｄを構成する側板１５は一対の縦枠８２，８２間に積層されている。
【００４８】
この場合、側壁１２ａ，１２ｂ，１２ｃ，１２ｄの各縦枠８１，８２は、底部１１の角部に立設されるアングル状のコーナー部材８３との間にそれぞれ高さの異なる枢着部（図示せず）を介して起倒可能に形成されている。また、正面側壁１２ａと背面側壁１２ｂにおける最上段の側板１５の両端側には摺動自在なロックピン９１ａを有する上部ジョイント金具９０Ａが装着されており、この上部ジョイント金具９０Ａのロックピン９１ａが正面側壁１２ａと背面側壁１２ｂの縦枠８１に設けられた貫通孔８４を貫通して隣接する左右側壁１２ｃ，１２ｄの縦枠８２に設けられた係止孔８５に係脱可能に形成されている（図９参照）。
【００４９】
また、正面側壁１２ａと背面側壁１２ｂの縦枠８１には、側壁１２ａ，１２ｂの外方に向かって隆起する第１の係合部８６ａと、溝状の第１の係合受け部８７ａが連設されている。また、左右側壁１２ｃ，１２ｄの縦枠８２の内側面には、上記第１の係合部８６ａに係脱可能に係合する第２の係合受け部８７ｂと、上記第１の係合受け部８７ａに係脱可能に係合する第２の係合部８６ｂが形成されている。この場合、第１及び第２の係合部８６ａ，８６ｂに、先端に向かって狭小となるテーパ面８８が形成され、また、第１及び第２の係合受け部８７ａ，８７ｂには、先端に向かって拡開するテーパ面８９が形成されている。
【００５０】
このように、縦枠８１に第１の係合部８６ａと第１の係合受け部８７ａとを連設し、縦枠８２には、第１の係合部８６ａ及び第１の係合受け部８７ａとそれぞれ係脱可能に係合する第２の係合受け部８７ｂと第２の係合部８６ｂを形成することにより、隣接する側壁１２ａ，１２ｂ，１２ｃ，１２ｄ同士の第１の係合部８６ａと第１の係合受け部８７ａとを係合すると共に、第２の係合部８６ｂと第２の係合受け部８７ｂとを係合するので、使用時における一方の側壁１２ａ，１２ｂによって他方の側壁１２ｃ，１２ｄの内側及び外側への転倒を防止することができ、また、他方の側壁１２ｃ，１２ｄによって一方の側壁１２ａ，１２ｂの外側への転倒を防止することができる。この場合、第１及び第２の係合部８６ａ，８６ｂに、先端に向かって狭小となるテーパ面８８を形成し、第１及び第２の係合受け部８７ａ，８７ｂには、先端に向かって拡開するテーパ面８９を形成することにより、第１及び第２の係合部８６ａ，８６ｂと第１及び第２の係合受け部８８７ａ，８７ｂとの係脱を容易にすることができる。
【００５１】
また、左右側壁１２ｃ，１２ｄにおける最下段の側板１５の両端側には摺動自在なロックピン９１ｂを有する下部ジョイント金具９０Ｂが装着されており、この下部ジョイント金具９０Ｂのロックピン９１ｂが左右側壁１２ｃ、１２ｄの縦枠８２に設けられた貫通孔８４ａを貫通してコーナー部材８３に設けられた係止孔８５ａに係脱可能に形成されている（図１１参照）。
【００５２】
上記のように構成することにより、上部ジョイント金具９０Ａのロックピン９１ａを操作して、左右側壁１２ｃ，１２ｄの縦枠８２に設けられた係止孔８５との係合を解除することで、左右側壁１２ｃ，１２ｄに対して正面及び背面側壁１２ａ，１２ｂを内側に倒し（折り畳み）、その後、左右側壁１２ｃ，１２ｄを内側に倒す（折り畳む）ことができる。また、下部ジョイント金具９０Ｂのロックピン９１ｂを操作して、コーナー部材８３に設けられた係止孔８５ａとの係合を解除することで、左右側壁１２ｃ，１２ｄに対して正面及び背面側壁１２ａ，１２ｂを内側に倒した（折り畳んだ）後、左右側壁１２ｃ，１２ｄを内側に倒す（折り畳む）ことができる。
【００５３】
したがって、側壁１２ａ，１２ｂ，１２ｃ，１２ｄの起倒すなわちコンテナの組立及び折り畳みを容易にすることができる。図１２に示すように、折り畳まれたコンテナ本体１０の上端部に蓋体３が被着される。このようにして折り畳まれた複数のコンテナ本体１０は、積層された状態で保管される。
【００５４】
なお、上記実施形態では、コンテナ本体１０の下部中央部に配水ノズル取付用開口４０を設け、配水ノズル取付用開口４０の対向する両辺部に設けられる一対の外枠部材４１と内枠部材４２によって形成される案内溝４３内に嵌挿される配水ノズル押え板４４によって配水ノズル３０のノズル先端部３１をコンテナ本体１０の外部に突出した状態に保持する場合について説明したが、配水ノズル３０の保持部を正面側壁１２ａ以外の背面側壁１２ｂ、左右側壁１２ｃ，１２ｄに設けてもよい。
【００５５】
また、上記コンテナ本体１０の折り畳み構造は上記実施形態の構造に限定されるものではなく、底部１１に対して正面側壁１２ａ、背面側壁１２ｂ、左右側壁１２ｃ，１２ｄが折り畳み可能な構造であれば、任意の構造であってもよい。
【符号の説明】
【００５６】
２  袋体
１０  コンテナ本体
１１  底部
１２ａ〜１２ｄ  側壁
２０  給水ノズル
２１  ノズル先端部
２２  鍔部
３０  配水ノズル
３１  ノズル先端部
３２  鍔部
４０  配水ノズル取付用開口
４１  外枠部材
４１ａ  当接片
４１ｂ  第１の折曲片
４１ｃ  第２の折曲片
４２  内枠部材
４２ａ  固定片
４２ｂ  第３の折曲片
４３  案内溝
４４  配水ノズル押え板
４５  配水ノズル保持用切欠き
４７  ずれ止め用孔
４８  ずれ止め用突起
５０  給水ノズル保持具
５１  梁部材
５２  給水ノズル保持用切欠き
５３  給水ノズル受け板
５４  ヒンジ
５５  給水ノズル押え板
５６  係止部材
【図１】
2014141277.tif 000003
【図２】
2014141277.tif 000004
【図３】
2014141277.tif 000005
【図４】
2014141277.tif 000006
【図５】
2014141277.tif 000007
【図５Ａ】
2014141277.tif 000008
【図６】
2014141277.tif 000009
【図６Ａ】
2014141277.tif 000010
【図７】
2014141277.tif 000011
【図８】
2014141277.tif 000012
【図９】
2014141277.tif 000013
【図１０】
2014141277.tif 000014
【図１１】
2014141277.tif 000015
【図１２】
2014141277.tif 000016